(57)【要約】【課題】適切なタイミングで使用者の注目を適切な箇所へ向けさせることができる入出金装置を提供する。【解決手段】入出金装置は、貨幣を筐体内に取り込む入金および前記筐体内から貨幣を出す出金を、処理に応じて行う入出金装置であって、照射部と、照射手段と、を備える。照射部は、貨幣を前記筐体内に取り込む開口部および前記筐体内から出された貨幣を保持する保持部のうち少なくとも前記保持部を対象として、当該対象を照らす光を発する。照射手段は、前記対象への注目を求めるタイミングで前記照射部に前記対象を照らさせる。【選択図】図４
2017138890.tif 000002
【特許請求の範囲】
【請求項１】
貨幣を筐体内に取り込む入金および前記筐体内から貨幣を出す出金を、処理に応じて行う入出金装置であって、
貨幣を前記筐体内に取り込む開口部および前記筐体内から出された貨幣を保持する保持部のうち少なくとも前記保持部を対象として、当該対象を照らす光を発する照射部と、
前記対象への注目を求めるタイミングで前記照射部に前記対象を照らさせる照射手段と、
を備える入出金装置。
【請求項２】
前記照射手段は、出金を実行するタイミングで、前記照射部に前記対象を照らさせる
ことを特徴とする請求項１に記載の入出金装置。
【請求項３】
前記照射手段は、前記保持部が物体を保持している間、前記照射部による前記対象の照射を継続する
ことを特徴とする請求項１または２に記載の入出金装置。
【請求項４】
前記照射部は、青色の光または黄色の光を前記対象にあてる
ことを特徴とする請求項１ないし３の何れか一記載の入出金装置。
【請求項５】
前記照射部は、光を発する発光部と、当該発光部が発した光で照明される範囲を限る孔と、を備える
ことを特徴とする請求項１ないし４の何れか一記載の入出金装置。
【発明の詳細な説明】
【技術分野】
【０００１】
本発明の実施形態は、入出金装置に関する。
【背景技術】
【０００２】
近年、スーパーマーケットなどでは、店員によらず客自身で決済可能にするセルフレジ（セルフチェックアウト装置、セルフＰＯＳ（Point  Of  Sales）ともいう）が用いられている。セルフレジにおいては、客が自身で金銭の授受を行う。このため、入金口や出金口をいかに分かりやすいものにするかが重要である。
【０００３】
従来、入金口や出金口の近傍に明滅するガイドランプなどを配置している。しかしながら、ガイドランプが光っていても当該ランプに隣接する入金口や出金口を客が見つけるのに時間がかかってしまうことがある。これは客がセルフレジを初めて使用するために緊張している場合などに特に顕著である。また、このようなことは、客が自身で入金および出金を行う装置（即ち入出金装置）であれば、セルフレジに限らず起こり得る。
【発明の概要】
【発明が解決しようとする課題】
【０００４】
本発明が解決しようとする課題は、適切なタイミングで使用者の注目を適切な箇所へ向けさせることができる入出金装置を提供することである。
【課題を解決するための手段】
【０００５】
実施形態の入出金装置は、貨幣を筐体内に取り込む入金および前記筐体内から貨幣を出す出金を、処理に応じて行う入出金装置であって、照射部と、照射手段と、を備える。照射部は、貨幣を前記筐体内に取り込む開口部および前記筐体内から出された貨幣を保持する保持部のうち少なくとも前記保持部を対象として、当該対象を照らす光を発する。照射手段は、前記対象への注目を求めるタイミングで前記照射部に前記対象を照らさせる。
【図面の簡単な説明】
【０００６】
【図１】図１は、実施形態にかかるセルフレジの外観を示す正面図である。
【図２】図２は、決済端末の扉を開放した状態の外観を示す斜視図である。
【図３】図３は、セルフレジを上方から見た状態の外観を示す斜視図である。
【図４】図４は、硬貨排出皿付近の外観を示す斜視図である。
【図５】図５は、セルフレジのハードウェア構成を示すブロック図である。
【図６】図６は、決済処理にかかる機能を示す機能ブロック図である。
【図７】図７は、決済処理の流れを示すフローチャートである。
【発明を実施するための形態】
【０００７】
以下に添付図面を参照して、入出金装置の実施形態を詳細に説明する。本実施形態は、入出金装置として、顧客が自身で商品登録および決済を行うためのセルフレジ（セルフチェックアウト装置、セルフＰＯＳ）が備える決済端末（決済装置）を適用した例について説明するものである。
【０００８】
図１は、実施形態にかかるセルフレジ１００の外観を示す正面図である。図１に示すように、セルフレジ１００は、決済端末１と、籠置き棚２と、袋詰め棚３とを備えている。決済端末１は、入出金部４、読取部５、表示操作部６、および各部を制御する制御部７（図５参照）を備えている。
【０００９】
決済端末１は、第１の筐体１１と第２の筐体１２とを備えている。第１の筐体１１は、開放および閉止可能な扉１１１を備える。扉１１１は、ヒンジ部１１１ａを中心に上下方向に回動する。第１の筐体１１は、内部に、入出金部４を構成する紙幣釣銭機（紙幣入出金装置）４１および硬貨釣銭機（硬貨入出金装置）４２（いずれも図２参照）を収納している。第２の筐体１２は、内部に、制御部７を収納している。
【００１０】
読取部５は、商品を特定するために、商品の外観や商品に付された符号（バーコードなど）を読み取るスキャナ５０を備えている。また、読取部５は、制御部７が実行する商品販売データ処理に係るレシートを印字するプリンタ５１を備えている。プリンタ５１は、発行されたレシートを支持するレシート排出台５１ａを第１の筐体１１（以下、単に筐体１１と記す）から突出させている。すなわち、レシート排出台５１ａは、筐体１１に突出して設けられた凸形状の凸部である。さらに、読取部５は、制御部７が実行する決済処理に係るクレジットカードの読取りを行うカードリーダ５２を備えている。
【００１１】
表示操作部６は、モニタ６１と、タッチパネル６２とを備える。モニタ６１は、制御部７の制御に従って画像を表示する。タッチパネル６２は、モニタ６１の表面に設けられており、オペレータが触れた位置に基づく情報を制御部７に出力する。
【００１２】
籠置き棚２は、籠内の商品を取り出して読取部５にかざす動作を行う際に、籠の置き場とする物置台である。籠置き棚２は、決済端末１の一側方に設けられている。
【００１３】
袋詰め棚３は、スキャン後の商品を袋詰めするための台である。袋詰め棚３は、決済端末１の他側方（籠置き棚２の反対側）に設けられている。
【００１４】
ここで、図２は決済端末１の扉１１１を開放した状態の外観を示す斜視図である。図３に示すように、筐体１１は、扉１１１を上方に回動させることで筐体１１の内部を開放し、紙幣釣銭機４１および硬貨釣銭機４２を露出する。紙幣釣銭機４１と硬貨釣銭機４２とは、筐体１１内に重ねて収納されており、紙幣釣銭機４１が硬貨釣銭機４２の下に位置している。
【００１５】
紙幣釣銭機４１は、取り込んだ紙幣の正否を判別して正貨を収納し、釣銭としての紙幣を出金する。硬貨釣銭機４２は、取り込んだ硬貨の正否を判別して収納し、釣銭としての硬貨を出金する。紙幣釣銭機４１および硬貨釣銭機４２は、収納した貨幣の金額を制御部７へ連絡する。また、紙幣釣銭機４１および硬貨釣銭機４２は、制御部７から、釣銭として出金すべき金額の連絡を受ける。
【００１６】
制御部７は、決済端末１が備える各部（入出金部４、読取部５、および表示操作部６）を統括的に制御する。制御部７は、読取部５からコード情報を取得する。また、制御部７は、表示操作部６のモニタ６１に表示させる情報を出力し、タッチパネル６２からオペレータが行った操作の情報を取得する。さらに、制御部７は、入出金部４への入金を把握し、入出金部４に出金の指示を行う。
【００１７】
ここで、図３はセルフレジ１００を上方から見た状態の外観を示す斜視図である。図３に示すように、筐体１１は、上面の一端部側に硬貨釣銭機４２に入金する硬貨の投入口（硬貨投入口）４２１を設けている。硬貨投入口４２１は、複数枚の硬貨を一括して受け入れる。
【００１８】
また、筐体１１（入出金部４）は、硬貨投入口４２１が設けられた奥側から手前側に向けて、硬貨排出皿４２２およびリジェクト皿４２３と、紙幣投入口４１１および紙幣排出口４１２とを順に階段状に設けている。すなわち、硬貨投入口４２１が設けられている面が上段、硬貨排出皿４２２およびリジェクト皿４２３が設けられている面が中段、紙幣投入口４１１および紙幣排出口４１２が設けられている面が下段である。このように各種の投入口や排出口（排出皿）を階段状に配設することにより、奥側から手前側にかけて全ての投入口や排出口（排出皿）を見渡すことができるようになっている。
【００１９】
硬貨排出皿４２２は、硬貨釣銭機４２から払い出された硬貨（釣銭）を受ける受け皿である。リジェクト皿４２３は、変形硬貨、外国銭、偽貨等の硬貨釣銭機４２内に収容すべきではない硬貨（リジェクト硬貨）を受ける受け皿である。硬貨投入口４２１と硬貨排出皿４２２とリジェクト皿４２３との位置関係は、硬貨釣銭機４２の構造に依存している。
【００２０】
図３に示すように、硬貨排出皿４２２は、硬貨投入口４２１が設けられた決済端末１の幅方向端部とは反対側端部に設けられている。このように硬貨投入口４２１と硬貨排出皿４２２とは、高さ方向と幅方向と奥行き方向においてそれぞれずらして設けられているので、硬貨排出皿４２２に対する視認性、操作性が良好なものとなっている。なお、リジェクト皿４２３は、硬貨投入口４２１の下方位置において硬貨排出皿４２２に並べられて設けられている。
【００２１】
紙幣投入口４１１は、紙幣釣銭機４１に入金する紙幣の投入口である。紙幣排出口４１２は、紙幣釣銭機４１から払い出される紙幣（釣銭）の排出口である。紙幣投入口４１１と紙幣排出口４１２との位置関係は、紙幣釣銭機４１の構造に依存している。
【００２２】
加えて、硬貨投入口４２１と硬貨排出皿４２２とリジェクト皿４２３と紙幣投入口４１１と紙幣排出口４１２とのそれぞれの近傍には、操作手順やエラーを報知するためのガイドランプであるＬＥＤ４３〜４６が設けられている。なお、ＬＥＤ４３〜４６が設けられる場所は各部の近傍であれば特に限定されない。また、ＬＥＤ４３〜４６の個数や配列も特に限定されない。
【００２３】
制御部７は、操作手順を報知するにあたり、各ＬＥＤ４３〜４６を、各々の近傍の箇所（硬貨投入口４２１、硬貨排出皿４２２、リジェクト皿４２３、紙幣投入口４１１、紙幣排出口４１２）が用いられるタイミングで、発光させる。操作手順の進行に従って、点灯するＬＥＤ４３〜４６は遷移する。
【００２４】
また、制御部７は、エラーを報知する場合は、エラーが発生している箇所の近傍のＬＥＤ４３〜４６を発光させる。
【００２５】
決済端末１は、硬貨排出皿４２２上の物体（硬貨など）を検知するセンサ７３（図５参照）を備えている。センサ７３としては、光センサ、磁気センサ、画像センサなどが挙げられる。光センサは、例えば、当該光センサの光軸が硬貨排出皿４２２の底面を這うように配され、光軸が遮られると硬貨排出皿４２２上に物体があると判定する。磁気センサは、例えば、硬貨排出皿４２２の底面の裏側にあたる位置に配され、金属を検知すると硬貨排出皿４２２上に物体があると判定する。画像センサは、例えば、硬貨排出皿４２２の上方に配され、画像認識により硬貨排出皿４２２上に物体があると判定する。
【００２６】
なお、紙幣投入口４１１および硬貨投入口４２１は、貨幣を筐体１１内に取り込む開口部の一例である。また、紙幣排出口４１２、硬貨排出皿４２２、およびリジェクト皿４２３は、筐体１１内から出された貨幣を保持する保持部の一例である。
【００２７】
さて、筐体１１の扉１１１は、硬貨投入口４２１に対して決済端末１の幅方向に並ぶ位置に連設された金銭載置部４２４を備えている。金銭載置部４２４は、一般には、吟味台や検銭台と呼ばれている。金銭載置部４２４は、決済端末１の決済処理の際に、客が財布から金銭を取り出して並べ、支払いに使用する金銭を目視で確認するためのものである。
【００２８】
ここで、図４は、硬貨排出皿４２２付近の外観を示す斜視図である。金銭載置部４２４の下部であって硬貨排出皿４２２の上方には、照射部８０が設けられている。照射部８０は、硬貨排出皿４２２に光をあてて硬貨排出皿４２２を照らす。
【００２９】
照射部８０は、ＬＥＤ８１およびスリット８２を備えている。ＬＥＤ８１は、光を発する発光部であり、例えば青色の光を発する。また、ＬＥＤ８１は、筐体１１内に設けられている。スリット８２は、扉１１１に形成された孔であって、ＬＥＤ８１が発した光の一部を通過させる。つまりスリット８２は、ＬＥＤ８１が発した光で照明される範囲を限る。
【００３０】
ＬＥＤ８１およびスリット８２は、ＬＥＤ８１が発してスリット８２を通過した光が、硬貨排出皿４２２上の所定範囲を照らすように、配置されている。これにより、照射部８０は、あたかもスポットライトの如く、上記所定範囲を照明する。
【００３１】
また、照射部８０は、上記所定範囲を、真上からでなく、奥から手前かつ上から下へ照明する。より詳細には、ＬＥＤ８１およびスリット８２は、ＬＥＤ８１が発して硬貨排出皿４２２や硬貨排出皿４２２上の硬貨の表面で正反射した光が、セルフレジ１００を使用中の平均的身長の成人女性の目に入射する位置に、配置されている。この配置であると、客の多くが、硬貨排出皿４２２および釣銭から明るさを感じやすい状態とすることができる。これにより、客が釣銭に注目しやすくし、釣銭の取り忘れが起こりにくくなる。
【００３２】
続いて、セルフレジ１００のハードウェア構成について説明する。図５は、セルフレジ１００のハードウェア構成を示すブロック図である。
【００３３】
図５に示すように、決済端末１は、制御部７、Ｉ／Ｏ機器制御部７１、および通信Ｉ／Ｆ（インタフェース）７２を備えている。通信Ｉ／Ｆ７２は、自装置を袋詰め棚３と通信可能に接続する。Ｉ／Ｏ機器制御部７１は、制御部７に、紙幣釣銭機４１、硬貨釣銭機４２、ＬＥＤ４３〜４６，８１、スキャナ５０、プリンタ５１、カードリーダ５２、モニタ６１、タッチパネル６２、およびセンサ７３を接続する。
【００３４】
一方、袋詰め棚３は、Ｉ／Ｏ機器制御部３１、通信Ｉ／Ｆ（インタフェース）３２、および計量器３３を、さらに備えている。計量器３３は、袋詰め棚３に載せられた物品の重さを量る。通信Ｉ／Ｆ３２は、自装置を決済端末１と通信可能に接続する。すなわち、Ｉ／Ｏ機器制御部３１は、通信Ｉ／Ｆ３２，７２を介して、制御部７に計量器３３を接続する。計量器３３は、不正防止を目的として、袋詰め棚３上の物品の重さを量るものである。
【００３５】
制御部７は、ＣＰＵ（Central  Processing  Unit）、ＲＯＭ（Read  Only  Memory）、ＲＡＭ（Random  Access  Memory）を有している。ＲＯＭは、ＣＰＵが実行する各種コンピュータプログラムや各種データを記憶する。ＲＡＭは、ＣＰＵがコンピュータプログラムを実行する際に一時的にデータやコンピュータプログラムを記憶する。制御部７は、ＣＰＵがＲＯＭから読み出したコンピュータプログラムをＲＡＭに展開して実行することにより、各部を統括的に制御する。
【００３６】
なお、本実施形態のセルフレジ１００で実行されるコンピュータプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００３７】
また、本実施形態のセルフレジ１００で実行されるコンピュータプログラムを、インターネット等のネットワークに接続されたコンピュータ上に格納し、ネットワーク経由でダウンロードさせることにより提供するように構成しても良い。また、本実施形態のセルフレジ１００で実行されるコンピュータプログラムをインターネット等のネットワーク経由で提供または配布するように構成しても良い。
【００３８】
また、本実施形態のセルフレジ１００で実行されるコンピュータプログラムを、ＲＯＭ等に予め組み込んで提供するように構成してもよい。
【００３９】
次に、セルフレジ１００の決済端末１の制御部７が実行する各種の処理のうち、本実施形態の特徴的な機能である決済処理について説明する。ここで、図６は決済処理にかかる機能を示す機能ブロック図、図７は決済処理の流れを示すフローチャートである。
【００４０】
決済処理では、決済端末１の制御部７は、コンピュータプログラムに従うことにより、図６に示すように、照射手段７０１を機能部として実現する。
【００４１】
照射手段７０１は、対象（即ち硬貨排出皿４２２および釣銭）への注目を求めるタイミング（即ち硬貨釣銭機４２の出金処理が実行されるタイミング）で、ＬＥＤ８１を発光させる。また、照射手段７０１は、センサ７３が物体を検知している期間、ＬＥＤ８１による点灯を継続させる。なお、上記期間は、硬貨排出皿４２２上に硬貨などが存在している間、つまり硬貨排出皿４２２が硬貨と推定される物体を保持している間である。
【００４２】
決済処理について、図７に示すフローチャートを参照して説明する。図７に示すように、まず、決済端末１の制御部７は、商品登録処理を実行する（ステップＳ１）。
【００４３】
ここで、商品登録処理について説明する。客がスキャナ５０に商品コードが符号化された画像をかざすと、スキャナ５０は、符号を読み取って商品コードを出力する。制御部７は、スキャナ５０が商品コードを出力すると、例えば自装置ないしオンライン接続された外部装置の記憶部に記憶されたＰＬＵ（Price  Look  Up）ファイルを参照する。ＰＬＵファイルは、商品コードに関連付けて、商品の名称や価格などを、例えばテーブルの形式で記録したものである。
【００４４】
次いで、制御部７は、ＰＬＵファイルに記録された情報のうち、スキャナ５０が読み取った商品コードに関連付けられた情報を得る。そして、これらの情報を、商品の情報として記録するとともに、商品の価格を購入金額に加算する。これにより、商品登録が行われる。
【００４５】
次いで、決済端末１の制御部７は、客が商品登録および袋詰めまで終えると（ステップＳ２のＹｅｓ）、決済処理を行う（ステップＳ３）。決済端末１の制御部７は、客が商品登録等の処理が終了していない場合（ステップＳ２のＮｏ）、商品登録処理（ステップＳ１）に戻る。
【００４６】
ここで、決済処理について説明する。決済端末１の制御部７は、客から決済に進むための操作を受けると、モニタ６１に登録済みの商品の価格を合計した代金を表示する。これに伴い、決済端末１の制御部７は、客による決済操作の受け付けを開始する。
【００４７】
制御部７は、現金決済においては、紙幣釣銭機４１の紙幣投入口４１１および硬貨釣銭機４２の硬貨投入口４２１への入金があると、代金との差異（釣銭）を算出する。制御部７は、釣銭が有る場合には、紙幣は紙幣排出口４１２から、また、硬貨は硬貨排出皿４２２へ、出金する。
【００４８】
ここで、制御部７は、釣硬貨があった場合（ステップＳ４のＹｅｓ）、つまり硬貨釣銭機４２が硬貨排出皿４２２へ出金した場合、照射手段７０１として、ＬＥＤ８１を発光させる（点灯）（ステップＳ５）。
【００４９】
次に、制御部７は、センサ７３の出力を確認することにより、硬貨排出皿４２２上の物体の有無を判定する（ステップＳ６）。硬貨排出皿４２２上に物体が検知されている間（ステップＳ６のＹｅｓ）、制御部７は、ＬＥＤ８１による点灯状態を継続する。また、硬貨排出皿４２２上に物体が検知されなくなると（ステップＳ６のＮｏ）、制御部７は、ＬＥＤ８１を消灯する（ステップＳ７）。
【００５０】
制御部７は、上記ＬＥＤ８１の消灯後と、釣硬貨がなかった場合（ステップＳ４のＮｏ）とに、ステップＳ８へ処理を進める。ステップＳ８において制御部７は、取引終了を待機する（ステップＳ８のＮｏ）。そして制御部７は、決済完了をもって一つの取引を終了し（ステップＳ８のＹｅｓ）、次の取引の開始を待機する状態（ステップＳ１）へ移る。
【００５１】
このように、本実施形態によれば、硬貨釣銭機４２の硬貨排出皿４２２への出金のタイミングに応じて、ＬＥＤ８１の照射を実行することができる。これにより、適切なタイミングで、使用者たる客の注目を、適切な箇所（すなわち釣銭）へ、向けさせることができる。これは、従来から用いられているガイドランプ（ＬＥＤ４３〜４６）のように対象の近傍を光らせるものに比べ、対象を直接照明できるので、より効果的に、釣銭の取り忘れを防止できる。
【００５２】
なお、硬貨排出皿４２２およびその周囲を、黒色の素材で構成すると、青い光で照らされた硬貨が映えて見やすくなるので、さらに効果的である。
【００５３】
また、ＬＥＤ８１が発する光の色は、青色でなくともよく、例えば黄色など他の色でもよい。青色や黄色の光によるガイド照明は、人間に不快を感じさせる程度が低いので、ガイド照明増設による不快感の増加を抑えながら釣銭の見落とし防止を図れる。効果をさらに優先するなら、ＬＥＤ８１を、点灯でなく点滅させてもよい。
【００５４】
また、本実施形態においては、硬貨排出皿４２２を照らす照射部８０を例にあげているが、実施にあたってはこの例に限らない。すなわち、実施にあたって、入出金装置は、開口部（紙幣投入口４１１や硬貨投入口４２１）を照らす照射部を備えていてもよいし、他の保持部（紙幣排出口４１２）を照らす照射部を備えていてもよい。さらにその場合、ガイドランプであるＬＥＤ４３〜４６の点灯タイミングと同期してもよい。
【００５５】
また、本実施形態ではＬＥＤ８１を発光部の一例としているが、実施にあたってはこれに限らず、他の光源であってもよい。さらに、スリット８２で照明範囲を限るのでなく、発光部として指向性が強い光源を採用することにより、照明範囲を限るようにしてもよい。また、照射部８０による照明は、発光部からの直射に限らない。つまり、集光レンズや反射鏡を用いて、所定範囲に投光するようにしてもよい。
【００５６】
さらに、発光部が発して硬貨排出皿４２２や硬貨排出皿４２２上の硬貨の表面で正反射した光が、セルフレジ１００を使用中の平均的身長の成人女性の目に入射するように照射部８０を設置するのが望ましいが、実施にあたって正反射光の入射角が上述の設置条件を満たせない場合には十分な光量を発する発光部を用いることで対応する。
【００５７】
なお、本実施形態は、入出金装置として、顧客が自身で商品登録および決済を行うためのセルフレジ１００の決済端末１を適用した例について説明したが、これに限るものではない。例えば、入出金装置として、セミセルフのチェックアウトレーンに設置され、店員による商品登録の後、顧客による決済処理に用いられる会計機を適用するようにしても良い。
【００５８】
また、入出金装置として、飲食店の食券などを発行する券売機（発券機）、駐車場や駅などの精算機、自動販売機などを適用することもできる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１      決済端末（入出金装置）
１１    第１の筐体（筐体）
４１１  紙幣投入口（開口部）
４１２  紙幣排出口（保持部）
４２１  硬貨投入口（開口部）
４２２  硬貨排出皿（保持部）
８０    照射部
７０１  照射手段
８１    ＬＥＤ（発光部）
８２    スリット（孔）
【先行技術文献】
【特許文献】
【００６１】
【特許文献１】特開２０１３−２４６７９７号公報
【図１】
2017138890.tif 000003
【図２】
2017138890.tif 000004
【図３】
2017138890.tif 000005
【図４】
2017138890.tif 000006
【図５】
2017138890.tif 000007
【図６】
2017138890.tif 000008
【図７】
2017138890.tif 000009